(57)【要約】      （修正有）【課題】小さい力でも梱包箱に内容物の取出口を容易に形成することができる梱包箱用シート及び梱包体を提供する。【解決手段】天面シート部と第一側面シート部との境界に形成される第一罫線３１と天面シート部と第二側面シート部との境界に形成される第二罫線３２とに至る基端切目線４１と、基端切目線４１の一方端から第一罫線３１に沿って第一罫線３１の前面シート部側の先端に至る第一天面切目線４２ａと、基端切目線４１の他方端から第二罫線３２に沿って第二罫線３２の前面シート部側の先端に至る第二天面切目線４２ｂと、第一天面切目線４２ａの先端から、梱包箱２の前面部１３側となる方向に延びる第一前面切目線４３ａと、第二天面切目線４２ｂの先端から、梱包箱２の前面部１３側となる方向に延びる第二前面切目線４３ｂと、が形成される。【選択図】図１
2015089833.tif 000002
【特許請求の範囲】
【請求項１】
対向する天面部及び底面部と、対向する前面部及び背面部と、対向する第一側面部及び第二側面部と、を有して内容物を梱包する直方体の梱包箱に組み立てられる梱包箱用シートであって、
前記天面部となる天面シート部と、前記底面部となる底面シート部と、前記前面部となる前面シート部と、前記背面部となる背面シート部と、前記第一側面部となる第一側面シート部と、前記第二側面部となる第二側面シート部と、を備え、
前記天面シート部と前記第一側面シート部との境界に形成される第一罫線と前記天面シート部と前記第二側面シート部との境界に形成される第二罫線とに至る基端切目線と、
前記基端切目線の一方端から前記第一罫線に沿って前記第一罫線の前記前面シート部側の先端に至る第一天面切目線と、
前記基端切目線の他方端から前記第二罫線に沿って前記第二罫線の前記前面シート部側の先端に至る第二天面切目線と、
前記第一天面切目線の先端から、前記梱包箱の前記底面部側となる方向に延びる第一前面切目線と、
前記第二天面切目線の先端から、前記梱包箱の前記底面部側となる方向に延びる第二前面切目線と、が形成される、
梱包箱用シート。
【請求項２】
前記第一前面切目線及び前記第二前面切目線の先端位置は、前記梱包箱に組み立てた際に、最も前記天面部側に配置される前記内容物の下端よりも前記天面部側となる位置である、
請求項１に記載の梱包箱用シート。
【請求項３】
前記第一前面切目線は、前記前面シート部と前記第一側面シート部との境界に形成される第三罫線に沿って形成され、
前記第二前面切目線は、前記前面シート部と前記第二側面シート部との境界に形成される第四罫線に沿って形成される、
請求項１又は２に記載の梱包箱用シート。
【請求項４】
前記第一側面シート部には、前記第一前面切目線の先端から延びる第一側面切目線が形成され、
前記第二側面シート部には、前記第二前面切目線の先端から延びる第二側面切目線が形成される、
請求項３に記載の梱包箱用シート。
【請求項５】
前記第一側面切目線の先端位置は、前記第一罫線の延在方向において、前記基端切目線が前記第一罫線に至る位置と同じ位置であり、
前記第二側面切目線の先端位置は、前記第二罫線の延在方向において、前記基端切目線が前記第二罫線に至る位置と同じ位置である、
請求項４に記載の梱包箱用シート。
【請求項６】
前記第一側面シート部には、前記梱包箱に組み立てた際に、前記第一側面切目線の途中から前記底面部側且つ前記背面部側に延びる第三側面切目線が形成され、
前記第二側面シート部には、前記梱包箱に組み立てた際に、前記第二側面切目線の途中から前記底面部側且つ前記背面部側に延びる第四側面切目線が形成される、
請求項４又は５に記載の梱包箱用シート。
【請求項７】
前記第三側面切目線及び前記第四側面切目線は、前記底面部側に延びた後に前記背面部側に延びる、
請求項６に記載の梱包箱用シート。
【請求項８】
前記第三側面切目線の先端位置は、前記第一罫線の延在方向において、前記第一側面切目線の先端位置と同じ位置であり、
前記第四側面切目線の先端位置は、前記第二罫線の延在方向において、前記第二側面切目線の先端位置と同じ位置である、
請求項６又は７に記載の梱包箱用シート。
【請求項９】
前記梱包箱は、前記第一側面シート部又は前記第二側面シート部と前記底面シート部とが接着されることで前記内容物が梱包されるラップラウンドケースであり、
前記前面シート部及び前記背面シート部は、前記天面シート部から延びる天面フラップ部と、前記底面シート部から延びる底面フラップ部と、前記第一側面シート部から延びる第一側面フラップ部と、前記第二側面シート部から延びる第二側面フラップ部と、により構成される、
請求項１〜８の何れか一項に記載の梱包箱用シート。
【請求項１０】
請求項１〜９の何れか一項に記載された梱包箱用シートが直方体に組み立てられた梱包箱と、
前記梱包箱に梱包された内容物と、
を備える梱包体。
【発明の詳細な説明】
【技術分野】
【０００１】
本発明は、内容物を梱包する梱包箱に組み立てられる梱包箱用シート及び梱包体に関する。
【背景技術】
【０００２】
従来から、飲料缶などの内容物は、工場から各店舗に配送するために複数本単位で梱包箱に梱包されている。特許文献１には、このような梱包箱において、前面部及び一対の対向する側面部に切目線を入れ、この切目線を切断することにより内容物の取出口を形成することが記載されている。
【先行技術文献】
【特許文献】
【０００３】
【特許文献１】特許第５０２８４７８号
【発明の概要】
【発明が解決しようとする課題】
【０００４】
しかしながら、梱包箱に特許文献１に記載されたような切目線を入れると、梱包箱の一対の対向する側面部に形成された切目線を同時に切断することになる。しかも、これらの切目線は、梱包箱の前面部と一対の対向する側面部との間の稜線を横切って前面部及び一対の対向する側面の平面部分に形成されているため、一対の対向する側面部に形成された切目線を切断する際に大きな力が必要になる。
【０００５】
そこで、本発明は、小さい力でも梱包箱に内容物の取出口を容易に形成することができる梱包箱用シート及び梱包体を提供することを目的とする。
【課題を解決するための手段】
【０００６】
本発明に係る梱包箱用シートは、対向する天面部及び底面部と、対向する前面部及び背面部と、対向する第一側面部及び第二側面部と、を有して内容物を梱包する直方体の梱包箱に組み立てられる梱包箱用シートであって、天面部となる天面シート部と、底面部となる底面シート部と、前面部となる前面シート部と、背面部となる背面シート部と、第一側面部となる第一側面シート部と、第二側面部となる第二側面シート部と、を備え、天面シート部と第一側面シート部との境界に形成される第一罫線と天面シート部と第二側面シート部との境界に形成される第二罫線とに至る基端切目線と、基端切目線の一方端から第一罫線に沿って第一罫線の前面シート部側の先端に至る第一天面切目線と、基端切目線の他方端から第二罫線に沿って第二罫線の前面シート部側の先端に至る第二天面切目線と、第一天面切目線の先端から、梱包箱の底面部側となる方向に延びる第一前面切目線と、第二天面切目線の先端から、梱包箱の底面部側となる方向に延びる第二前面切目線と、が形成される。
【０００７】
本発明に係る梱包箱用シートによれば、梱包箱に組み立てた際に、基端切目線を切断して当該切断部分を引っ張ると、基端切目線に沿って第一罫線及び第二罫線まで切断され、更に第一天面切目線及び第二天面切目線に沿って切断が進行する。このとき、第一天面切目線及び第二天面切目線が第一罫線及び第二罫線に沿って形成されており、第一罫線及び第二罫線は、梱包箱の天面部と第一側面部との間の稜線及び天面部と第二側面部との間の稜線となる。これにより、第一天面切目線及び第二天面切目線が切断されやすくなるため、小さい力でも第一天面切目線及び第二天面切目線を切断することが可能となる。そして、第一天面切目線及び第二天面切目線が第一罫線及び第二罫線に沿って第一罫線及び第二罫線の前面シート部側の先端に至り、これらの先端は、梱包箱の天面部と第一側面部との間の稜線及び天面部と第二側面部との間の稜線における前面部側の頂点となる。これにより、天面シート部の基端切目線から前面シート部に至る全ての部分を開封することができる。また、第一前面切目線及び第二前面切目線が、第一天面切目線及び第二天面切目線の先端から梱包箱の底面部側となる方向に延びるため、更に切断部分を引っ張ると、第一前面切目線及び第二前面切目線に沿って切断が進行して、天面部から前面部に至る部分に、梱包箱から内容物を取り出す取出口が形成される。これにより、小さい力でも梱包箱に内容物を取り出す取出口を容易に形成することができる。
【０００８】
この場合、第一前面切目線及び第二前面切目線の先端位置は、梱包箱に組み立てた際に、最も天面部側に配置される内容物の下端よりも天面部側となる位置であることが好ましい。このように、第一前面切目線及び第二前面切目線の先端を、梱包箱の最も天面部側に配置される内容物の下端よりも天面部側となる位置とすることで、第一前面切目線及び第二前面切目線を切断した際に、梱包箱に梱包された内容物を前面部によって支持することができる。
【０００９】
また、第一前面切目線は、前面シート部と第一側面シート部との境界に形成される第三罫線に沿って形成され、第二前面切目線は、前面シート部と第二側面シート部との境界に形成される第四罫線に沿って形成されることが好ましい。このように、第一前面切目線及び第二前面切目線が第三罫線及び第四罫線に沿って形成され、第三罫線及び第四罫線は、梱包箱の前面部と第一側面部との間の稜線及び前面部と第二側面部との間の稜線となる。これにより、第一前面切目線及び第二前面切目線が切断されやすくなるため、小さい力でも第一前面切目線及び第二前面切目線を切断することが可能となる。
【００１０】
また、第一側面シート部には、第一前面切目線の先端から延びる第一側面切目線が形成され、第二側面シート部には、第二前面切目線の先端から延びる第二側面切目線が形成されることが好ましい。このように、第一側面シート部及び第二側面シート部に、第一前面切目線及び第二前面切目線の先端から延びる第一側面切目線及び第二側面切目線を形成することで、第一前面切目線及び第二前面切目線を切断した後に第一側面切目線及び第二側面切目線を切断することで、取出口を梱包箱の両側面部にまで広げることができる。これにより、内容物の取り出し性を更に向上することができる。
【００１１】
また、第一側面切目線の先端位置は、第一罫線の延在方向において、基端切目線が第一罫線に至る位置と同じ位置であり、第二側面切目線の先端位置は、第二罫線の延在方向において、基端切目線が第二罫線に至る位置と同じ位置であることが好ましい。梱包箱を段ボールのラップラウンドケースとした場合、段ボールの段目は第一罫線及び第二罫線に対して垂直な方向に延びるように配置される。そこで、第一側面切目線及び第二側面切目線の先端を、第一罫線及び第二罫線の延在方向において、基端切目線が第一罫線及び第二罫線に至る位置と同じ位置とすることで、第一側面切目線及び第二側面切目線の先端と基端切目線が第一罫線及び第二罫線に至る位置とが同じ段目となる。これにより、第一側面切目線及び第二側面切目線の切断により形成される側面部の切断部分を容易に折り曲げることができる。
【００１２】
また、第一側面シート部には、梱包箱に組み立てた際に、第一側面切目線の途中から底面部側且つ背面部側に延びる第三側面切目線が形成され、第二側面シート部には、梱包箱に組み立てた際に、第二側面切目線の途中から底面部側且つ背面部側に延びる第四側面切目線が形成されることが好ましい。このように、第一側面シート部及び第二側面シート部に、梱包箱を組み立てた際に第一側面切目線及び第二側面切目線の途中から底面部側且つ背面部側に延びる第三側面切目線及び第四側面切目線を形成することで、第一側面切目線及び第二側面切目線を切断した後に第三側面切目線及び第四側面切目線を切断することで、側面部まで広げられた取出口を更に底面部側にも広げることができる。これにより、内容物の取り出し性を更に向上することができる。
【００１３】
また、第三側面切目線及び第四側面切目線は、底面部側に延びた後に背面部側に延びることが好ましい。このように、第三側面切目線及び第四側面切目線が、底面部側に延びた後に背面部側に延びることで、第三側面切目線及び第四側面切目線の切断により形成される側面部の取出口を広くすることができる。これにより、内容物の取り出し性を更に向上することができる。
【００１４】
また、第三側面切目線の先端位置は、第一罫線の延在方向において、第一側面切目線の先端位置と同じ位置であり、第四側面切目線の先端位置は、第二罫線の延在方向において、第二側面切目線の先端位置と同じ位置であることが好ましい。上述したように、梱包箱を段ボールのラップラウンドケースとした場合、段ボールの段目は第一罫線及び第二罫線に対して垂直な方向に延びるように配置される。そこで、第一罫線及び第二罫線の延在方向において、第三側面切目線及び第四側面切目線の先端を第一側面切目線及び第二側面切目線の先端と同じ位置とすることで、第三側面切目線及び第四側面切目線の先端と第一側面切目線及び第二側面切目線の先端とが同じ段目となる。これにより、第三側面切目線及び第四側面切目線の切断により形成される側面部の切断部分を容易に折り曲げることができる。
【００１５】
また、梱包箱は、第一側面シート部又は第二側面シート部と底面シート部とが接着されることで内容物が梱包されるラップラウンドケースであり、前面シート部及び背面シート部は、天面シート部から延びる天面フラップ部と、底面シート部から延びる底面フラップ部と、第一側面シート部から延びる第一側面フラップ部と、第二側面シート部から延びる第二側面フラップ部と、により構成されることが好ましい。このように構成することで、梱包箱に容易に組み立てることができるとともに、内容物を容易に梱包箱で梱包することができる。
【００１６】
本発明に係る梱包体は、上記の何れかの梱包箱用シートが直方体に組み立てられた梱包箱と、梱包箱に梱包された内容物と、を備える。本発明に係る梱包体によれば、梱包箱が上記の梱包箱用シートを組み立てたものであるため、小さい力でも梱包箱に内容物を取り出す取出口を容易に形成することができる。
【発明の効果】
【００１７】
本発明によれば、小さい力でも梱包箱に内容物の取出口を容易に形成することができる。
【図面の簡単な説明】
【００１８】
【図１】実施形態に係る梱包体を上方から見た斜視図である。
【図２】実施形態に係る梱包体を下方から見た斜視図である。
【図３】梱包箱の展開図（梱包箱用シートの平面図）である。
【図４】梱包体の上方から見た平面図である。
【図５】梱包体の前方から見た正面図である。
【図６】梱包体の側面図である。
【図７】梱包箱の開封動作を示す斜視図である。
【図８】梱包箱の開封動作を示す斜視図である。
【図９】梱包箱の開封動作を示す斜視図である。
【図１０】梱包箱の開封動作を示す斜視図である。
【図１１】梱包体を開封した状態を示す側面図である。
【図１２】変形例の梱包箱の斜視図である。
【図１３】変形例の梱包箱の展開図（梱包箱用シートの平面図）である。
【発明を実施するための形態】
【００１９】
以下、図面を参照して、本発明に係る梱包箱用シート及び梱包体の好適な実施形態について詳細に説明する。なお、全図中、同一又は相当部分には同一符号を付すこととする。
【００２０】
図１は、実施形態に係る梱包体を上方から見た斜視図である。図２は、実施形態に係る梱包体を下方から見た斜視図である。図１及び図２に示すように、本実施形態に係る梱包体１は、梱包箱用シート２０を直方体に組み立てた梱包箱２と、梱包箱２に梱包される複数の内容物３と、を備えている。
【００２１】
内容物３は、特に限定されるものではないが、例えば、ビールが充填された缶ビール等の缶飲料製品や清涼飲料が充填されたペットボトル等のペットボトル飲料製品とすることができる。内容物３の形状は、特に限定されるものではないが、例えば、缶ビールのような円柱状とすることができる。なお、以下の説明では、内容物３として円柱状の缶飲料製品を用いた場合について説明する。
【００２２】
梱包箱２は、梱包箱用シート２０を直方体に組み立てたラップラウンドケースであり、天面部１１と、天面部１１と対向する底面部１２と、天面部１１及び底面部１２に隣接する前面部１３と、天面部１１及び底面部１２に隣接して前面部１３と対向する背面部１４と、天面部１１、底面部１２、前面部１３及び背面部１４に隣接する第一側面部１５と、天面部１１、底面部１２、前面部１３及び背面部１４に隣接して第一側面部１５と対向する第二側面部１６と、を備える。なお、梱包箱２を載置面に設置した際に、底面部１２は当該載置面に載置され、天面部１１は底面部１２の上方に配置され、前面部１３は手前側に配置され、背面部１４は奥側に配置される。但し、梱包箱２は、梱包箱２の設置方向はこれに限定されるものではなく、任意に変更することが可能である。例えば、第二側面部１６が載置面に載置され第一側面部１５が第二側面部１６の上方に配置される場合や、第一側面部１５が載置面に載置されて第二側面部１６が第一側面部１５の上方に配置される場合等がある。
【００２３】
梱包箱２が梱包する内容物３の数及び配置は、特に限定されるものではないが、例えば、２４缶、１０缶、６缶とすることができる。ここで、梱包箱２としては、２４缶の内容物３を梱包するものが一般的であるが、２４缶の内容物３を梱包するものだと、重く嵩張るため、そのまま冷蔵庫に収納することが難しい。そこで、梱包箱２として、高さ方向に２缶、奥行き方向に５缶、合計１０缶の内容物３を梱包するものとすることで、冷蔵庫に収納し易くなる。このため、以下の説明では、梱包箱２として、高さ方向に２缶、奥行き方向に５缶、合計１０缶の内容物３を梱包するものとして説明する。
【００２４】
図３は、梱包箱の展開図（梱包箱用シートの平面図）である。図３に示すように、梱包箱用シート２０は、屈曲可能なシート材料により略平面状に形成されている。梱包箱用シート２０の材料は、特に限定されるものではないが、コストや強度の観点から、段ボールとすることができる。このため、以下の説明では、梱包箱用シート２０の材料として段ボールを用いるものとして説明する。
【００２５】
梱包箱用シート２０は、梱包箱２の天面部１１となる天面シート部２１と、梱包箱２の底面部１２となる底面シート部２２と、梱包箱２の前面部１３となる前面シート部２３と、梱包箱２の背面部１４となる背面シート部２４と、梱包箱２の第一側面部１５となる第一側面シート部２５と、梱包箱２の第二側面部１６となる第二側面シート部２６と、を備える。
【００２６】
天面シート部２１には、第一側面シート部２５と第二側面シート部２６とが接続されている。一方、底面シート部２２には、第一側面シート部２５が接続されているが、第二側面シート部２６が接続されておらず、第二側面シート部２６の代わりに第二側面シート部２６に接着するための接着代２７が接続されている。このため、接着代２７を第二側面シート部２６に接着することで、天面シート部２１、第一側面シート部２５、底面シート部２２及び第二側面シート部２６が角筒状となって内容物３を包むことができる。
【００２７】
そして、天面シート部２１と第一側面シート部２５との境界、天面シート部２１と第二側面シート部２６との境界、底面シート部２２と第一側面シート部２５との境界、底面シート部２２と接着代２７との境界に、それぞれ、折れ曲がり易いように段ボールの段を凹ました（潰した）罫線が形成されている。ここで、天面シート部２１と第一側面シート部２５との境界に形成される罫線を、第一罫線３１といい、第一罫線３１は、梱包箱２の天面部１１と第一側面部１５との間の稜線となる。また、天面シート部２１と第二側面シート部２６との境界に形成される罫線を、第二罫線３２といい、第二罫線３２は、梱包箱２の天面部１１と第二側面部１６との間の稜線となる。
【００２８】
前面シート部２３は、天面シート部２１から延びる天面フラップ部２３ａと、底面シート部２２から延びる底面フラップ部２３ｂと、第一側面シート部２５から延びる第一側面フラップ部２３ｃと、第二側面シート部２６から延びる第二側面フラップ部２３ｄと、により構成される。つまり、接着代２７が第二側面シート部２６に接着された状態において、まず、天面フラップ部２３ａ及び底面フラップ部２３ｂが天面シート部２１及び底面シート部２２に対して折り曲げられ、次に、第一側面フラップ部２３ｃ及び第二側面フラップ部２３ｄが第一側面シート部２５及び第二側面シート部２６に対して折り曲げられて天面フラップ部２３ａ及び底面フラップ部２３ｂに接着される、これにより、梱包箱２の前面部１３が形成される。
【００２９】
そして、天面フラップ部２３ａと天面シート部２１との境界、底面フラップ部２３ｂと底面シート部２２との境界、第一側面フラップ部２３ｃと第一側面シート部２５との境界、第二側面フラップ部２３ｄと第二側面シート部２６との境界に、それぞれ、折れ曲がり易いように段ボールの段を凹ました（潰した）罫線が形成されている。ここで、第一側面フラップ部２３ｃと第一側面シート部２５との境界に形成される罫線を、第三罫線３３といい、第三罫線３３は、梱包箱２の前面部１３と第一側面部１５との間の稜線となる。また、第二側面フラップ部２３ｄと第二側面シート部２６との境界に形成される罫線を、第四罫線３４といい、第四罫線３４は、梱包箱２の前面部１３と第二側面部１６との間の稜線となる。
【００３０】
背面シート部２４は、天面シート部２１から延びる天面フラップ部２４ａと、底面シート部２２から延びる底面フラップ部２４ｂと、第一側面シート部２５から延びる第一側面フラップ部２４ｃと、第二側面シート部２６から延びる第二側面フラップ部２４ｄと、により構成される。つまり、接着代２７が第二側面シート部２６に接着された状態において、まず、天面フラップ部２４ａ及び底面フラップ部２４ｂが天面シート部２１及び底面シート部２２に対して折り曲げられ、次に、第一側面フラップ部２４ｃ及び第二側面フラップ部２４ｄが第一側面シート部２５及び第二側面シート部２６に対して折り曲げられて天面フラップ部２４ａ及び底面フラップ部２４ｂに接着される、これにより、梱包箱２の背面部１４が形成される。
【００３１】
そして、天面フラップ部２４ａと天面シート部２１との境界、底面フラップ部２４ｂと底面シート部２２との境界、第一側面フラップ部２４ｃと第一側面シート部２５との境界、第二側面フラップ部２４ｄと第二側面シート部２６との境界に、それぞれ、折れ曲がり易いように段ボールの段を凹ました（潰した）罫線が形成されている。ここで、第一側面フラップ部２４ｃと第一側面シート部２５との境界に形成される罫線を、第五罫線３５といい、第五罫線３５は、梱包箱２の背面部１４と第一側面部１５との間の稜線となる。また、第二側面フラップ部２４ｄと第二側面シート部２６との境界に形成される罫線を、第六罫線３６といい、第六罫線３６は、梱包箱２の背面部１４と第二側面部１６との間の稜線となる。
【００３２】
そして、天面シート部２１、底面シート部２２、前面シート部２３、背面シート部２４、第一側面シート部２５及び第二側面シート部２６は、梱包箱２に組み立てた際に、高さ方向に２缶、奥行き方向に５缶、合計１０缶の内容物３を梱包することができる寸法に形成されている。
【００３３】
このように構成される梱包箱用シート２０には、梱包箱２に梱包された内容物３を梱包箱２から取り出すための取出口２８（図７〜図１０参照）を形成するための切目線として、基端切目線４１と、第一天面切目線４２ａと、第二天面切目線４２ｂと、第一前面切目線４３ａと、第二前面切目線４３ｂと、分離用前面切目線４４と、第一側面切目線４５ａと、第二側面切目線４５ｂと、第三側面切目線４６ａと、第四側面切目線４６ｂと、が形成されている。これらの切目線は、梱包箱用シート２０を切断しやすくするための切目線（切込線ともいう。）であり、例えば、ミシン線のように間欠的に直線状に延びる形状や、ジッパー線のように間欠的に屈曲した形状とすることができる。なお、これらの切込線は、梱包箱用シート２０を貫通してもよく、梱包箱用シート２０を貫通しない半切り状態としてもよい。
【００３４】
図４は、梱包体の上方から見た平面図である。図３及び図４に示すように、基端切目線４１は、天面シート部２１に形成されて、その両端が第一罫線３１と第二罫線３２とに至る切目線である。基端切目線４１は、第一基端切目線４１ａと、第二基端切目線４１ｂと、第三基端切目線４１ｃと、により構成される。
【００３５】
第一基端切目線４１ａは、略Ｕ字状又は略コ字状に形成された切目線であり、第一基端切目線４１ａを切断することで、略Ｕ字状又は略コ字状の切断片５１を形成することが可能となっている。
【００３６】
天面シート部２１の長さ方向における第一基端切目線４１ａの形成位置は、特に限定されるものではないが、次の位置であることが好ましい。つまり、第一基端切目線４１ａは、通常、梱包箱２の外側から指で切断片５１となる部分を梱包箱２内に押し込むことにより切断するものである。そこで、切断片５１となる部分を梱包箱２内に押し込み易くするため、第一基端切目線４１ａは、梱包箱２に梱包された隣接する内容物３の間の位置に形成することが好ましい。この場合、取出口２８から内容物３を取り出しやすくするために、第一基端切目線４１ａは、梱包箱２に梱包された内容物３のうち前面部１３側から２缶目の内容物３と３缶目の内容物３との間の位置に形成されることが好ましい（図７〜図１０参照）。なお、天面シート部２１の長さ方向とは、天面フラップ部２３ａと天面フラップ部２４ａとの対向方向をいう。
【００３７】
天面シート部２１の幅方向における第一基端切目線４１ａの形成位置は、特に限定されるものではないが、第一基端切目線４１ａの切断性の観点から、天面シート部２１の幅方向における中央部であることが好ましい。天面シート部２１の幅方向とは、第一側面シート部２５と第二側面シート部２６との対向方向（第一罫線３１と第二罫線３２との対向方向）をいう。
【００３８】
第二基端切目線４１ｂは、基端切目線４１の一方端から第一罫線３１に至る切目線であり、第三基端切目線４１ｃは、基端切目線４１の他方端から第二罫線３２に至る切目線である。
【００３９】
第二基端切目線４１ｂ及び第三基端切目線４１ｃは、直線状又は曲線状に形成されており、基端切目線４１の両端から、第一罫線３１及び第二罫線３２に対して傾斜しながら、前面シート部２３（天面フラップ部２３ａ）側に延びている。このため、第二基端切目線４１ｂ及び第三基端切目線４１ｃを切断することで、略台形状の切断片５２を形成することが可能となっている。但し、第二基端切目線４１ｂ及び第三基端切目線４１ｃの傾斜方向は、特に限定されるものではなく、また、第二基端切目線４１ｂ及び第三基端切目線４１ｃは、第一罫線３１及び第二罫線３２に対して垂直な方向であってもよい。
【００４０】
第二基端切目線４１ｂ及び第三基端切目線４１ｃが第一罫線３１及び第二罫線３２に至る位置は、特に限定されるものではないが、取出口２８（図７〜図１０参照）から内容物３を取り出しやすくするために、梱包箱２に梱包された内容物３のうち最も前面部１３側に配置される内容物３よりも背面部１４側の位置に形成されることが好ましい。図面では、第二基端切目線４１ｂ及び第三基端切目線４１ｃが第一罫線３１及び第二罫線３２に至る位置が、梱包箱２に梱包された内容物３のうち前面部１３側から１缶目の内容物３と２缶目の内容物３との間の位置となっている。
【００４１】
第一天面切目線４２ａは、第二基端切目線４１ｂの先端から第一罫線３１に沿って第一罫線３１の前面シート部２３（天面フラップ部２３ａ）側の先端に至る切目線である。第二基端切目線４１ｂの先端とは、第一罫線３１側の先端をいい、第二基端切目線４１ｂが第一罫線３１に至る位置となる。第一罫線３１の前面シート部２３（天面フラップ部２３ａ）側の先端は、梱包箱２の天面部１１と第一側面部１５との間の稜線における前面部１３側の頂点となる。第二天面切目線４２ｂは、第三基端切目線４１ｃの先端から第二罫線３２に沿って第二罫線３２の前面シート部２３（天面フラップ部２３ａ）側の先端に至る切目線である。第三基端切目線４１ｃの先端とは、第二罫線３２側の先端をいい、第三基端切目線４１ｃが第二罫線３２に至る位置となる。第二罫線３２の前面シート部２３（天面フラップ部２３ａ）側の先端は、梱包箱２の天面部１１と第二側面部１６との間の稜線における前面部１３側の頂点となる。このため、第一天面切目線４２ａ及び第二天面切目線４２ｂを切断することで、矩形状の切断片５３を形成することが可能となっている。
【００４２】
図５は、梱包体の前方から見た正面図である。図３及び図５に示すように、第一前面切目線４３ａは、第一天面切目線４２ａの先端から梱包箱２の底面部１２側となる方向に延びる切目線である。第一天面切目線４２ａの先端とは、第一罫線３１の前面シート部２３（天面フラップ部２３ａ）側の先端をいい、梱包箱２の前面部１３と第一側面部１５との間の稜線における天面部１１側の頂点となる。第一前面切目線４３ａは、第三罫線３３に沿って形成されている。但し、第一前面切目線４３ａは、必ずしも第三罫線３３に沿う必要はなく、例えば、第三罫線３３の前面シート部２３（第一側面フラップ部２３ｃ）側に形成されてもよく、第三罫線３３の第一側面シート部２５側に形成されもよい。
【００４３】
第二前面切目線４３ｂは、第二天面切目線４２ｂの先端から梱包箱２の底面部１２側となる方向に延びる切目線である。第二天面切目線４２ｂの先端とは、第二罫線３２の前面シート部２３（天面フラップ部２３ａ）側の先端をいい、梱包箱２の前面部１３と第二側面部１６との間の稜線における天面部１１側の頂点となる。第二前面切目線４３ｂは、第三罫線３３に沿って形成されている。但し、第二前面切目線４３ｂは、必ずしも第四罫線３４に沿う必要はなく、例えば、第四罫線３４の前面シート部２３（第二側面フラップ部２３ｄ）側に形成されてもよく、第四罫線３４の第二側面シート部２６側に形成されもよい。
【００４４】
第一前面切目線４３ａと第二前面切目線４３ｂとは、同じ長さとなっており、第一前面切目線４３ａの先端位置と第二前面切目線４３ｂの先端位置とは、梱包箱２における第三罫線３３及び第四罫線３４の延在方向（第三罫線３３及び第四罫線３４と平行な方向）において同じ位置となっている。このため、第一前面切目線４３ａ及び第二前面切目線４３ｂを切断することで、矩形状の切断片５４を形成することが可能となっている。
【００４５】
第一前面切目線４３ａ及び第二前面切目線４３ｂの先端位置は、特に限定されるものではないが、次の位置であることが好ましい。つまり、第一前面切目線４３ａ及び第二前面切目線４３ｂを切断すると、梱包箱２の前面部１３にも取出口２８が形成される。そこで、第一前面切目線４３ａ及び第二前面切目線４３ｂを切断した際に梱包箱２に梱包された内容物３が前面部１３によって支持されるように、第一前面切目線４３ａ及び第二前面切目線４３ｂの先端位置は、梱包箱用シート２０を梱包箱２に組み立てた際に、梱包箱２に梱包された内容物３のうち最も天面部１１側に配置される内容物３の下端よりも天面部１１側となる位置とすることが好ましい（図７〜図１１参照）。
【００４６】
分離用前面切目線４４は、梱包箱２に組み立てられた際に、第一前面切目線４３ａの先端と第二前面切目線４３ｂの先端とに至る切目線である。第一前面切目線４３ａ及び第二前面切目線４３ｂの先端とは、梱包箱２の底面部１２側の先端をいう。分離用前面切目線４４は、第一側面フラップ部２３ｃに形成される第一分離用前面切目線４４ａと、第二側面フラップ部２３ｄに形成される第二分離用前面切目線４４ｂと、により構成される。第一分離用前面切目線４４ａは、第一前面切目線４３ａの先端から、第三罫線３３と直交する方向に延びて、第一側面フラップ部２３ｃを横断している。第二分離用前面切目線４４ｂは、第二前面切目線４３ｂの先端から、第四罫線３４と直交する方向に延びて、第二側面フラップ部２３ｄを横断している。
【００４７】
図６は、梱包体の側面図である。図３及び図６に示すように、第一側面切目線４５ａは、第一前面切目線４３ａの先端から第一側面シート部２５に延びる切目線である。第一側面切目線４５ａは、第五罫線３５に向けて第一罫線３１と平行な方向（第一罫線３１の延在方向と同じ方向）に延びている。但し、第一側面切目線４５ａは、必ずしも第一罫線３１と平行な方向に延びる必要はなく、例えば、第一罫線３１に対して傾斜する方向に延びてもよい。
【００４８】
第二側面切目線４５ｂは、第二前面切目線４３ｂの先端から第二側面シート部２６に延びる切目線である。第二側面切目線４５ｂは、第六罫線３６に向けて第二罫線３２と平行な方向（第二罫線３２の延在方向と同じ方向）に延びている。但し、第二側面切目線４５ｂは、必ずしも第二罫線３２と平行な方向に延びる必要はなく、例えば、第二罫線３２に対して傾斜する方向に延びてもよい。
【００４９】
第一側面切目線４５ａの先端位置と第二側面切目線４５ｂの先端位置とは、第一罫線３１及び第二罫線３２の延在方向（第一罫線３１及び第二罫線３２と平行な方向）において同じ位置となっている。第一側面切目線４５ａの先端とは、第五罫線３５側の先端をいい、第二側面切目線４５ｂの先端とは、第六罫線３６側の先端をいう。このため、第一側面切目線４５ａ及び第二側面切目線４５ｂを切断することで、図９及び図１０に示すように、一対の矩形状の切断片５５を形成することが可能となっている。
【００５０】
第一側面切目線４５ａ及び第二側面切目線４５ｂの先端位置は、特に限定されるものではないが、次の位置であることが好ましい。つまり、梱包箱用シート２０を構成する段ボールの段目は、第一罫線３１及び第二罫線３２に対して垂直な方向に延びるように配置されており、段目に沿って折り曲げると、容易に折り曲げることができる。そこで、第一側面切目線４５ａの切断により形成される切断片５５を容易に折り曲げられるように、第一側面切目線４５ａの先端位置は、第一罫線３１の延在方向（第一罫線３１と平行な方向）において、基端切目線４１（第二基端切目線４１ｂ）の先端位置（基端切目線４１が第一罫線３１に至る位置）と同じ位置とすることが好ましい。また、第二側面切目線４５ｂの切断により形成される切断片５５を容易に折り曲げられるように、第二側面切目線４５ｂの先端位置は、第二罫線３２の延在方向（第二罫線３２と平行な方向）において、基端切目線４１（第三基端切目線４１ｃ）の先端位置（基端切目線４１が第二罫線３２に至る位置）と同じ位置とすることが好ましい。
【００５１】
更に、第一側面シート部２５に、第一側面切目線４５ａの先端位置と基端切目線４１（第二基端切目線４１ｂ）の先端位置とを結ぶ切目線（不図示）が形成されていてもよい。この場合であっても、第一罫線３１の延在方向において、第一側面切目線４５ａの先端位置と基端切目線４１（第二基端切目線４１ｂ）の先端位置とが同じ場所にあることが望ましい。また、第二側面シート部２６に、第二側面切目線４５ｂの先端位置と基端切目線４１（第三基端切目線４１ｃ）の先端位置とを結ぶ切目線（不図示）が形成されていてもよい。この場合であっても、第二罫線３２の延在方向において、第二側面切目線４５ｂの先端位置と基端切目線４１（第三基端切目線４１ｃ）の先端位置とが同じ場所にあることが望ましい。
【００５２】
第一側面シート部２５の幅方向における第一側面切目線４５ａの位置及び第二側面シート部２６の幅方向における第二側面切目線４５ｂの位置は、特に限定されるものではないが、次の位置であることが好ましい。第一側面シート部２５の幅方向とは、天面シート部２１と底面シート部２２との対向方向をいい、第二側面シート部２６の幅方向とは、天面シート部２１と接着代２７との対向方向をいう。つまり、梱包箱２は、第一側面切目線４５ａ及び第二側面切目線４５ｂの切断により第一側面部１５及び第二側面部１６まで取出口２８が広げられる。そこで、第一側面切目線４５ａ及び第二側面切目線４５ｂを切断した際に梱包箱２に梱包された内容物３が第一側面部１５及び第二側面部１６によって支持されるように、第一側面切目線４５ａ及び第二側面切目線４５ｂは、梱包箱用シート２０を梱包箱２に組み立てた際に、梱包箱２の最も天面部１１側に配置される内容物３の下端よりも天面部１１側となる位置とすることが好ましい。
【００５３】
第三側面切目線４６ａは、梱包箱用シート２０を梱包箱２に組み立てた際に、第一側面切目線４５ａの途中から底面部１２側且つ背面部１４側に延びる切目線である。第三側面切目線４６ａは、第一側面切目線４５ａの途中から底面部１２側に第三罫線３３と平行な方向に延びた後に第五罫線３５に向けて背面部１４側に第一罫線３１と平行な方向に延びることで、底面部１２側且つ背面部１４側に延びている。但し、第三側面切目線４６ａの線形状は、このような屈曲形状とする必要はなく、例えば、第一側面切目線４５ａの途中から底面部１２側且つ背面部１４側に第一罫線３１及び第三罫線３３に対して傾斜する方向に直線状に延びてもよい。
【００５４】
第四側面切目線４６ｂは、梱包箱用シート２０を梱包箱２に組み立てた際に、第二側面切目線４５ｂの途中から底面部１２側且つ背面部１４側に延びる切目線である。第四側面切目線４６ｂは、第二側面切目線４５ｂの途中から底面部１２側に第四罫線３４と平行な方向に延びた後に第六罫線３６に向けて背面部１４側に第二罫線３２と平行な方向に延びることで、底面部１２側且つ背面部１４側に延びている。但し、第四側面切目線４６ｂの線形状は、このような屈曲形状とする必要はなく、例えば、第二側面切目線４５ｂの途中から底面部１２側且つ背面部１４側に第二罫線３２及び第四罫線３４に対して傾斜する方向に直線状に延びてもよい。
【００５５】
第三側面切目線４６ａの先端位置と第四側面切目線４６ｂの先端位置とは、第一罫線３１及び第二罫線３２の延在方向（第一罫線３１及び第二罫線３２と平行な方向）において同じ位置となっている。第三側面切目線４６ａの先端とは、第五罫線３５側の先端をいい、第四側面切目線４６ｂの先端とは、第六罫線３６側の先端をいう。このため、第三側面切目線４６ａ及び第四側面切目線４６ｂを切断することで、一対の矩形状の切断片５６を形成することが可能となっている。
【００５６】
第三側面切目線４６ａ及び第四側面切目線４６ｂの先端位置は、特に限定されるものではないが、次の位置であることが好ましい。つまり、梱包箱用シート２０を構成する段ボールの段目は、第一罫線３１及び第二罫線３２に対して垂直な方向に延びるように配置されており、段目に沿って折り曲げると、容易に折り曲げることができる。そこで、第三側面切目線４６ａの切断により形成される切断片５６を容易に折り曲げられるように、第三側面切目線４６ａの先端位置は、第一罫線３１の延在方向（第一罫線３１と平行な方向）において、第一側面切目線４５ａの先端位置と同じ位置とすることが好ましい。また、第四側面切目線４６ｂの切断により形成される切断片５６を容易に折り曲げられるように、第四側面切目線４６ｂの先端位置は、第二罫線３２の延在方向（第二罫線３２と平行な方向）において、第二側面切目線４５ｂの先端位置と同じ位置とすることが好ましい。
【００５７】
更に、第一側面シート部２５に、第一側面切目線４５ａの先端位置と第三側面切目線４６ａの先端位置とを結ぶ切目線（不図示）が形成されていてもよい。この場合であっても、第一罫線３１の延在方向において、第一側面切目線４５ａの先端位置と第三側面切目線４６ａの先端位置とが同じ場所にあることが望ましい。また、第二側面シート部２６に、第二側面切目線４５ｂの先端位置と第四側面切目線４６ｂの先端位置とを結ぶ切目線（不図示）が形成されていてもよい。この場合であっても、第二罫線３２の延在方向において、第二側面切目線４５ｂの先端位置と第四側面切目線４６ｂの先端位置とが同じ場所にあることが望ましい。
【００５８】
梱包箱用シート２０を梱包箱２に組み立てる際は、まず、天面シート部２１、第一側面シート部２５、底面シート部２２及び第二側面シート部２６が角筒状となるように梱包箱用シート２０の各罫線を折り曲げて、接着代２７を第二側面シート部２６に接着する。
【００５９】
そして、天面フラップ部２３ａ及び底面フラップ部２３ｂが第一側面フラップ部２３ｃ及び第二側面フラップ部２３ｄの内側に配置されるように梱包箱用シート２０の各罫線を折り曲げて、天面シート部２１及び底面シート部２２と第一側面フラップ部２３ｃ及び第二側面フラップ部２３ｄとを接着する。このとき、分離用前面切目線４４を切断した際に、切断片５４が第一側面フラップ部２３ｃ及び第二側面フラップ部２３ｄから分離されるように、天面フラップ部２３ａを、第一側面フラップ部２３ｃ及び第二側面フラップ部２３ｄの切断片５４となる部分にのみ接着する。
【００６０】
また、天面フラップ部２４ａ及び底面フラップ部２４ｂが第一側面フラップ部２４ｃ及び第二側面フラップ部２４ｄの内側に配置されるように梱包箱用シート２０の各罫線を折り曲げて、天面フラップ部２４ａ及び底面フラップ部２４ｂと第一側面フラップ部２４ｃ及び第二側面フラップ部２４ｄとを接着する。
【００６１】
なお、梱包体１は、梱包箱用シート２０の第二側面シート部２６上に全ての内容物３を載せた状態で梱包箱用シート２０を梱包箱２に組み立てることにより形成される。
【００６２】
次に、図７〜図１１も参照して、各切目線を切断して梱包箱２を開封する動作について説明する。図７〜図１０は、梱包箱の開封動作を示す斜視図である。図１１は、梱包体を開封した状態を示す側面図である。
【００６３】
まず、梱包箱２の天面部１１の切断片５１となる部分を指で押し込む。すると、図７（ａ）に示すように、第一基端切目線４１ａが切断されて、切断片５１が形成される。これにより、天面部１１に切断片５１に対応する開口が形成される。
【００６４】
次に、天面部１１に押し込んだ指で天面部１１の切断片５２となる部分を引っ張る。すると、図７（ｂ）に示すように、第二基端切目線４１ｂ及び第三基端切目線４１ｃが切断されて、切断片５２が形成される。これにより、天面部１１に切断片５２に対応する開口が形成される。
【００６５】
更に、切断片５１及び切断片５２を引っ張る。すると、図８（ａ）に示すように、第一天面切目線４２ａ及び第二天面切目線４２ｂが切断されて、切断片５３が形成される。これにより、天面部１１に切断片５３に対応する開口が形成される。このとき、第一天面切目線４２ａ及び第二天面切目線４２ｂは、第一罫線３１及び第二罫線３２に沿って形成されているため、小さい力で、第一天面切目線４２ａ及び第二天面切目線４２ｂを切断することができる。これにより、天面部１１に切断片５３に対応する開口が形成されて、天面部１１に形成される取出口２８が全て開かれる。
【００６６】
更に、切断片５１、切断片５２及び切断片５３を引っ張る。すると、図８（ｂ）に示すように、第一前面切目線４３ａ及び第二前面切目線４３ｂが切断されて、切断片５４が形成される。これにより、前面部１３に切断片５４に対応する開口が形成される。このとき、第一前面切目線４３ａ及び第二前面切目線４３ｂは、第三罫線３３及び第四罫線３４に沿って形成されているため、小さい力で、第一前面切目線４３ａ及び第二前面切目線４３ｂを切断することができる。これにより、前面部１３に切断片５４に対応する開口が形成されて、前面部１３に形成される取出口２８が全て開かれる。
【００６７】
次に、図９（ａ）に示すように、分離用前面切目線４４を切断して、切断片５１、切断片５２、切断片５３及び切断片５４を梱包箱２から切り離す。なお、切断片５１、切断片５２、切断片５３及び切断片５４が邪魔にならなければ、分離用前面切目線４４を切断する必要はない。
【００６８】
次に、切断片５５となる部分を引っ張る。すると、図９（ｂ）に示すように、第一側面切目線４５ａ及び第二側面切目線４５ｂが切断されて、一対の切断片５５が形成される。これにより、第一側面部１５及び第二側面部１６に各切断片５５に対応する開口が形成されて、取出口２８が第一側面部１５及び第二側面部１６にも広がる。そして、図１０（ａ）に示すように、各切断片５５を第一側面部１５及び第二側面部１６の外側表面に折り畳む。なお、第一側面シート部２５に、第一側面切目線４５ａの先端位置と第二基端切目線４１ｂの先端位置とを結ぶ切目線が形成されており、また、第二側面シート部２６に、第二側面切目線４５ｂの先端位置と基端切目線４１の先端位置とを結ぶ切目線が形成されている場合は、これらの切目線を切断することで、梱包箱２から各切断片５５を切り離すことができる。
【００６９】
次に、切断片５６となる部分を引っ張る。すると、図１０（ａ）に示すように、第三側面切目線４６ａ及び第四側面切目線４６ｂが切断されて、一対の切断片５６が形成される。これにより、第一側面部１５及び第二側面部１６に各切断片５６に対応する開口が形成されて、第一側面部１５及び第二側面部１６に形成される取出口２８が全て開かれる。そして、図１０（ｂ）及び図１１に示すように、各切断片５６を第一側面部１５及び第二側面部１６の外側表面に畳み込む。なお、第一側面シート部２５に、第一側面切目線４５ａの先端位置と第三側面切目線４６ａの先端位置とを結ぶ切目線が形成されており、また、第二側面シート部２６に、第二側面切目線４５ｂの先端位置と第四側面切目線４６ｂの先端位置とを結ぶ切目線が形成されている場合は、これらの切目線を切断することで、梱包箱２から各切断片５６を切り離すことができる。
【００７０】
このように、本実施形態によれば、梱包箱２に組み立てた際に、基端切目線４１を切断して当該切断部分を引っ張ると、基端切目線４１に沿って第一罫線３１及び第二罫線３２まで切断され、更に第一天面切目線４２ａ及び第二天面切目線４２ｂに沿って切断が進行する。このとき、第一天面切目線４２ａ及び第二天面切目線４２ｂが第一罫線３１及び第二罫線３２に沿って形成されており、第一罫線３１及び第二罫線３２は、梱包箱２の天面部１１と第一側面部１５との間の稜線及び天面部１１と第二側面部１６との間の稜線となる。これにより、第一天面切目線４２ａ及び第二天面切目線４２ｂが切断されやすくなるため、小さい力でも第一天面切目線４２ａ及び第二天面切目線４２ｂを切断することが可能となる。そして、第一天面切目線４２ａ及び第二天面切目線４２ｂが第一罫線３１及び第二罫線３２に沿って第一罫線３１及び第二罫線３２の前面シート部２３側の先端に至り、これらの先端は、梱包箱２の天面部１１と第一側面部１５との間の稜線及び天面部１１と第二側面部１６との間の稜線における前面部１３側の頂点となる。これにより、天面部１１の基端切目線４１から前面部１３に至る全ての部分を開封することができる。また、第一前面切目線４３ａ及び第二前面切目線４３ｂが、第一天面切目線４２ａ及び第二天面切目線４２ｂの先端から梱包箱２の底面部１２側となる方向に延びるため、更に切断部分を引っ張ると、第一前面切目線４３ａ及び第二前面切目線４３ｂに沿って切断が進行して、天面部１１から前面部１３に至る部分に、梱包箱２から内容物３を取り出す取出口２８が形成される。これにより、小さい力でも梱包箱２に取出口２８を容易に形成することができる。
【００７１】
また、第一前面切目線４３ａ及び第二前面切目線４３ｂの先端を、梱包箱２の最も天面部１１側に配置される内容物３の下端よりも天面部１１側となる位置とすることで、第一前面切目線４３ａ及び第二前面切目線４３ｂを切断した際に、梱包箱２に梱包された内容物３を前面部１３によって支持することができる。
【００７２】
また、第一前面切目線４３ａ及び第二前面切目線４３ｂが第三罫線３３及び第四罫線３４に沿って形成され、第三罫線３３及び第四罫線３４は、梱包箱２の前面部１３と第一側面部１５との間の稜線及び前面部１３と第二側面部１６との間の稜線となる。これにより、第一前面切目線４３ａ及び第二前面切目線４３ｂが切断されやすくなるため、小さい力でも第一前面切目線４３ａ及び第二前面切目線４３ｂを切断することが可能となる。
【００７３】
また、第一側面シート部２５及び第二側面シート部２６に、第一前面切目線４３ａ及び第二前面切目線４３ｂの先端から延びる第一側面切目線４５ａ及び第二側面切目線４５ｂを形成することで、第一前面切目線４３ａ及び第二前面切目線４３ｂを切断した後に第一側面切目線４５ａ及び第二側面切目線４５ｂを切断することで、取出口２８を梱包箱２の第一側面部１５及び第二側面部１６にまで広げることができる。これにより、内容物３の取り出し性を更に向上することができる。
【００７４】
また、第一側面切目線４５ａ及び第二側面切目線４５ｂの先端を、第一罫線３１及び第二罫線３２の延在方向において、基端切目線４１が第一罫線３１及び第二罫線３２に至る位置と同じ位置とすることで、第一側面切目線４５ａ及び第二側面切目線４５ｂの先端と基端切目線４１が第一罫線３１及び第二罫線３２に至る位置とが同じ段目となる。これにより、第一側面切目線４５ａ及び第二側面切目線４５ｂの切断により形成される一対の切断片５５を容易に折り曲げることができる。
【００７５】
また、第一側面切目線４５ａ及び第二側面切目線４５ｂを、梱包箱２の最も天面部１１側に配置される内容物３の下端よりも天面部１１側となる位置とすることで、第一側面切目線４５ａ及び第二側面切目線４５ｂを切断した際に、梱包箱２に梱包された内容物３を第一側面部１５及び第二側面部１６によって支持することができる。
【００７６】
また、第一側面シート部２５及び第二側面シート部２６に、梱包箱２を組み立てた際に第一側面切目線４５ａ及び第二側面切目線４５ｂの途中から底面部１２側且つ背面部１４側に延びる第三側面切目線４６ａ及び第四側面切目線４６ｂを形成することで、第一側面切目線４５ａ及び第二側面切目線４５ｂを切断した後に第三側面切目線４６ａ及び第四側面切目線４６ｂを切断することで、第一側面部１５又は第二側面部１６まで広げられた取出口２８を更に底面部１２側にも広げることができる。これにより、内容物３の取り出し性を更に向上することができる。
【００７７】
また、第三側面切目線４６ａ及び第四側面切目線４６ｂが、底面部１２側に延びた後に背面部１４側に延びることで、第三側面切目線４６ａ及び第四側面切目線４６ｂの切断により形成される第一側面部１５又は第二側面部１６の取出口２８を広くすることができる。これにより、内容物３の取り出し性を更に向上することができる。
【００７８】
また、第三側面切目線４６ａ及び第四側面切目線４６ｂの先端を、第一罫線３１及び第二罫線３２の延在方向において、第一側面切目線４５ａ及び第二側面切目線４５ｂの先端と同じ位置とすることで、第三側面切目線４６ａ及び第四側面切目線４６ｂの先端と第一側面切目線４５ａ及び第二側面切目線４５ｂの先端とが同じ段目となる。これにより、第三側面切目線４６ａ及び第四側面切目線４６ｂの切断により形成される一対の切断片５６を容易に折り曲げることができる。
【００７９】
また、梱包箱用シート２０が組み立てられる梱包箱２をラップラウンドケースとすることで、梱包箱２に容易に組み立てることができるとともに、内容物３を容易に梱包箱２で梱包することができる。
【００８０】
以上、本発明の好適な実施形態について説明したが、本発明は上記実施形態に限定されるものではない。
【００８１】
例えば、上記実施形態において、梱包箱は、各面の間の角部が直角に屈曲された直方体のものとして説明したが、図１２及び図１３に示すように、各面の間の角部が面取りされ梱包箱及び当該梱包箱に組み立てられる梱包箱用シートであってもよい。図１２は、変形例の梱包箱の斜視図である。図１３は、変形例の梱包箱の展開図（梱包箱用シートの平面図）である。図１２に示す梱包箱６０は、基本的に上記実施形態の梱包箱２と同様であるが、各面の角部に面取り部６１が形成されている点のみ上記実施形態の梱包箱２と相違する。このため、図１３に示す梱包箱用シート７０も、梱包箱６０の面取り部６１が形成される面取りシート部７１は、罫線が罫線７２ａと罫線７２ｂとに二分岐されている。このような場合、罫線に沿った切目部は、罫線７２ａ及び罫線７２ｂの何れか一方又は双方に沿って形成することで、上記実施形態と同様の作用効果を奏することができる。
【００８２】
また、上記実施形態では、梱包箱の前面部側にのみ切目線が形成されるものとして説明したが、店舗や家庭（冷蔵庫など）における梱包箱の設置形態によっては背面部が前面部になり得るため、梱包箱の背面部側にも切目線が形成されてもよい。この場合、梱包箱の背面部側に形成される切目線は、必ずしも梱包箱の前面部側に形成される切目線と同一である必要はないが、製造容易性の観点から、梱包箱の前面部側に形成される切目線と同一であることが好ましい。
【符号の説明】
【００８３】
１…梱包体、２…梱包箱、３…内容物、１１…天面部、１２…底面部、１３…前面部、１４…背面部、１５…第一側面部、１６…第二側面部、２０…梱包箱用シート、２１…天面シート部、２２…底面シート部、２３…前面シート部、２３ａ…天面フラップ部、２３ｂ…底面フラップ部、２３ｃ…第一側面フラップ部、２３ｄ…第二側面フラップ部、２４…背面シート部、２４ａ…天面フラップ部、２４ｂ…底面フラップ部、２４ｃ…第一側面フラップ部、２４ｄ…第二側面フラップ部、２５…第一側面シート部、２６…第二側面シート部、２７…接着代、２８…取出口、３１…第一罫線、３２…第二罫線、３３…第三罫線、３４…第四罫線、３５…第五罫線、３６…第六罫線、４１…基端切目線、４１ａ…第一基端切目線、４１ｂ…第二基端切目線、４１ｃ…第三基端切目線、４２ａ…第一天面切目線、４２ｂ…第二天面切目線、４３ａ…第一前面切目線、４３ｂ…第二前面切目線、４４…分離用前面切目線、４５ａ…第一側面切目線、４５ｂ…第二側面切目線、４６ａ…第三側面切目線、４６ｂ…第四側面切目線、５１…切断片、５２…切断片、５３…切断片、５４…切断片、５５…切断片、５５…切断片、５６…切断片、６０…梱包箱、６１…面取り部、７０…梱包箱用シート、７１…面取りシート部、７２ａ…罫線、７２ｂ…罫線。
【図１】
2015089833.tif 000003
【図２】
2015089833.tif 000004
【図３】
2015089833.tif 000005
【図４】
2015089833.tif 000006
【図５】
2015089833.tif 000007
【図６】
2015089833.tif 000008
【図７】
2015089833.tif 000009
【図８】
2015089833.tif 000010
【図９】
2015089833.tif 000011
【図１０】
2015089833.tif 000012
【図１１】
2015089833.tif 000013
【図１２】
2015089833.tif 000014
【図１３】
2015089833.tif 000015